(57)【要約】【課題】押圧部を用いずに供給部を記録媒体と接触する位置まで移動させる場合と比べて、供給部が記録媒体を搬送路に供給する際に、抑止部の固定が解除されやすい供給装置を提供する。【解決手段】供給部は、収容部に収容された記録媒体に接触して、記録媒体を搬送路に供給する。支持部は、供給部を支持し、供給部が記録媒体から離れた状態になる第１位置から、供給部が記録媒体と接触した状態になる第２位置までの間を移動する。抑止部は、支持部から収容部に向けて突出し、記録媒体の搬送路への侵入を抑止する抑止位置から、記録媒体の搬送路への供給を妨げない退避位置までの間を移動可能に支持される。固定部は、支持部が第１位置にいる間、抑止部を抑止位置で固定し、支持部と連動して抑止部の固定を解除する。押圧部５０は、支持部を第２位置に向けて押圧する。【選択図】図５
2019069830.tif 000002
【特許請求の範囲】
【請求項１】
収容部に収容された記録媒体に接触して、前記収容された記録媒体を搬送路に供給する供給部と、
前記供給部を支持し、前記供給部が前記記録媒体から離れた状態になる第１位置から、前記供給部が前記記録媒体と接触した状態になる第２位置までの間を移動する支持部と、
前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、
前記支持部が前記第１位置にいる間、前記抑止部を前記抑止位置で固定し、前記第１位置から前記第２位置へと移動する前記支持部と連動することにより、前記抑止部の固定を解除する固定部と、
前記第１位置から前記第２位置に移動する前記支持部を前記第２位置に向けて押圧する押圧部と
を備える供給装置。
【請求項２】
前記押圧部は、弾性体の力により前記支持部を押圧し、前記力を調整する調整部を有する
請求項１に記載の供給装置。
【請求項３】
前記押圧部は、前記記録媒体が供給される方向と交わる方向に沿って移動可能に支持される
請求項１又は２に記載の供給装置。
【請求項４】
前記押圧部は、弾性体と、前記弾性体に接続された加圧部とを有し、前記加圧部が前記弾性体の力で移動することにより、前記支持部を押圧し、
前記加圧部の移動距離は、前記第１位置から前記第２位置までの距離より短い
請求項１から３のいずれか１項に記載の供給装置。
【請求項５】
前記押圧部は、複数設けられる
請求項１から４のいずれか１項に記載の供給装置。
【請求項６】
前記複数の押圧部は、前記支持部において前記記録媒体が供給される方向と交わる方向の両端と前記固定部との間にそれぞれ設けられる
請求項５に記載の供給装置。
【請求項７】
前記複数の押圧部は、それぞれ、弾性体と、前記弾性体に接続された加圧部とを有し、前記加圧部が前記弾性体の力で移動することにより、前記支持部を押圧し、
前記加圧部の移動距離は、前記複数の押圧部の間で互いに異なる
請求項５又は６に記載の供給装置。
【請求項８】
記録媒体を収容する収容部と、
前記記録媒体に接触して、前記収容された記録媒体を搬送路に供給する供給部と、
前記供給部を支持し、前記供給部が前記記録媒体から離れた状態になる第１位置から、前記供給部が前記記録媒体と接触した状態になる第２位置までの間を移動する支持部と、
前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、
前記支持部が前記第１位置にいる間、前記抑止部を前記抑止位置で固定し、前記第１位置から前記第２位置へと移動する前記支持部と連動することにより、前記抑止部の固定を解除する固定部と、
前記第１位置から前記第２位置に移動する支持部を前記第２位置に向けて押圧する押圧部と
を備える収容装置。
【請求項９】
記録媒体を収容する収容部と、
前記記録媒体に接触して、前記収容された記録媒体を搬送路に供給する供給部と、
前記搬送路を介して搬送された前記記録媒体上に画像を形成する画像形成部と、
前記供給部を支持し、前記供給部が前記記録媒体から離れた状態になる第１位置から、前記供給部が前記記録媒体と接触した状態になる第２位置までの間を移動する支持部と、
前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、
前記支持部が前記第１位置にいる間、前記抑止部を前記抑止位置で固定し、前記第１位置から前記第２位置へと移動する前記支持部と連動することにより、前記抑止部の固定を解除する固定部と、
前記第１位置から前記第２位置に移動する支持部を前記第２位置に向けて押圧する押圧部と
を備える画像形成装置。
【発明の詳細な説明】
【技術分野】
【０００１】
本発明は、供給装置、収容装置、及び画像形成装置に関する。
【背景技術】
【０００２】
画像形成装置は、画像形成部に用紙等の記録媒体を供給する供給装置を備える。例えば特許文献１には、プリンターや複写機の記録紙を給紙するシート搬送装置が記載されている。
【先行技術文献】
【特許文献】
【０００３】
【特許文献１】特開２０１５−０８６０１２号公報
【発明の概要】
【発明が解決しようとする課題】
【０００４】
画像形成装置において用紙等の記録媒体を収容する収容装置には、収容された記録媒体が搬送路に侵入するのを抑止する抑止部が設けられる場合がある。この抑止部は、記録媒体が搬送路に供給されない間は、記録媒体が搬送路に侵入するのを抑止する位置において固定される。一方、記録媒体が搬送路に供給されるときは、通常は抑止部の固定が解除され、抑止部は、記録媒体が搬送路に供給されるのを妨げない退避位置に移動可能になる。これにより、供給部が記録媒体を搬送路に供給することが可能となる。しかし、例えば抑止部を固定する力を大きくすると、抑止部の固定が解除されない場合がある。この場合、供給部が記録媒体を搬送路に供給しようとすると、紙詰まりが発生する恐れがある。
押圧部を用いずに供給部を記録媒体と接触する位置まで移動させる場合と比べて、本発明は、供給部が記録媒体を搬送路に供給する際に、抑止部の固定が解除されやすい供給装置を提供することを目的とする。
【課題を解決するための手段】
【０００５】
請求項１に係る発明は、収容部に収容された記録媒体に接触して、前記収容された記録媒体を搬送路に供給する供給部と、前記供給部を支持し、前記供給部が前記記録媒体から離れた状態になる第１位置から、前記供給部が前記記録媒体と接触した状態になる第２位置までの間を移動する支持部と、前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、前記支持部が前記第１位置にいる間、前記抑止部を前記抑止位置で固定し、前記第１位置から前記第２位置へと移動する前記支持部と連動することにより、前記抑止部の固定を解除する固定部と、前記第１位置から前記第２位置に移動する前記支持部を前記第２位置に向けて押圧する押圧部とを備える供給装置である。
【０００６】
請求項２に係る発明は、請求項１に記載の供給装置において、前記押圧部は、弾性体の力により前記支持部を押圧し、前記力を調整する調整部を有する。
【０００７】
請求項３に係る発明は、請求項１又は２に記載の供給装置において、前記押圧部は、前記記録媒体が供給される方向と交わる方向に沿って移動可能に支持される。
【０００８】
請求項４に係る発明は、請求項１から３のいずれか１項に記載の供給装置において、前記押圧部は、弾性体と、前記弾性体に接続された加圧部とを有し、前記加圧部が前記弾性体の力で移動することにより、前記支持部を押圧し、前記加圧部の移動距離は、前記第１位置から前記第２位置までの距離より短い。
【０００９】
請求項５に係る発明は、請求項１から４のいずれか１項に記載の供給装置において、前記押圧部は、複数設けられる。
【００１０】
請求項６に係る発明は、請求項５に記載の供給装置において、前記複数の押圧部は、前記支持部において前記記録媒体が供給される方向と交わる方向の両端と前記固定部との間にそれぞれ設けられる。
【００１１】
請求項７に係る発明は、請求項５又は６に記載の供給装置において、前記複数の押圧部は、それぞれ、弾性体と、前記弾性体に接続された加圧部とを有し、前記加圧部が前記弾性体の力で移動することにより、前記支持部を押圧し、前記加圧部の移動距離は、前記複数の押圧部の間で互いに異なる。
【００１２】
請求項８に係る発明は、記録媒体を収容する収容部と、前記記録媒体に接触して、前記収容された記録媒体を搬送路に供給する供給部と、前記供給部を支持し、前記供給部が前記記録媒体から離れた状態になる第１位置から、前記供給部が前記記録媒体と接触した状態になる第２位置までの間を移動する支持部と、前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、
前記支持部が前記第１位置にいる間、前記抑止部を前記抑止位置で固定し、前記第１位置から前記第２位置へと移動する前記支持部と連動することにより、前記抑止部の固定を解除する固定部と、前記第１位置から前記第２位置に移動する支持部を前記第２位置に向けて押圧する押圧部とを備える収容装置である。
【００１３】
請求項９に係る発明は、記録媒体を収容する収容部と、前記記録媒体に接触して、前記収容された記録媒体を搬送路に供給する供給部と、前記搬送路を介して搬送された前記記録媒体上に画像を形成する画像形成部と、前記供給部を支持し、前記供給部が前記記録媒体から離れた状態になる第１位置から、前記供給部が前記記録媒体と接触した状態になる第２位置までの間を移動する支持部と、前記支持部から前記収容部に向けて突出し、前記記録媒体が前記搬送路に侵入するのを抑止する抑止位置から、前記記録媒体が前記搬送路に供給されるのを妨げない退避位置までの間を移動可能に支持される抑止部と、前記支持部が前記第１位置にいる間、前記抑止部を前記抑止位置で固定し、前記第１位置から前記第２位置へと移動する前記支持部と連動することにより、前記抑止部の固定を解除する固定部と、前記第１位置から前記第２位置に移動する支持部を前記第２位置に向けて押圧する押圧部とを備える画像形成装置である。
【発明の効果】
【００１４】
請求項１に係る発明によれば、押圧部を用いずに供給部を記録媒体と接触する位置まで移動させる場合と比べて、供給部が記録媒体を搬送路に供給する際に、抑止部の固定が解除されやすい供給装置を提供することができる。
請求項２に係る発明によれば、支持部を押圧する力の大きさを調整することができる。
請求項４に係る発明によれば、加圧部の移動距離が第１位置から第２位置までの距離以上である場合と比べて、支持部の移動の衝撃を低減することができる。
請求項５に係る発明によれば、１つの押圧部のみが設けられる場合と比べて、抑止部の固定が解除されやすくなる。
請求項６に係る発明によれば、全ての押圧部が支持部の一端と固定部との間に設けられる場合と比べて、抑止部の固定が解除されやすくなる。
請求項７に係る発明によれば、複数の押圧部の間で加圧部の移動距離が変わらない場合と比べて、支持部の移動の衝撃を低減することができる。
請求項８に係る発明によれば、押圧部を用いずに供給部を記録媒体と接触する位置まで移動させる場合と比べて、供給部が記録媒体を搬送路に供給する際に、抑止部の固定が解除されやすい供給装置を提供することができる。
請求項９に係る発明によれば、押圧部を用いずに供給部を記録媒体と接触する位置まで移動させる場合と比べて、供給部が記録媒体を搬送路に供給する際に、抑止部の固定が解除されやすい供給装置を提供することができる。
【図面の簡単な説明】
【００１５】
【図１】実施形態に係る画像形成装置１の一例を示す正面図である。
【図２】画像形成装置１の一例を示す平面図である。
【図３】手差し給紙部１４の一例を示す図である。
【図４】図３中の矢印Ｉ−Ｉ方向からみた支持部３０の一例を示す断面図である。
【図５】押圧部５０の一例を示す正面図である。
【図６】押圧部５０の一例を示す側面図である。
【図７】変形例に係る押圧部５０の一例を示す図である。
【図８】変形例に係る押圧部５０Ａの一例を示す図である。
【発明を実施するための形態】
【００１６】
構成
図１は、本実施形態に係る画像形成装置１の一例を示す正面図である。図２は、画像形成装置１の一例を示す平面図である。画像形成装置１は、プリント機能を有する。画像形成装置１は、例えばプリンターである。ただし、画像形成装置１はプリンターに限定されない。画像形成装置１は、プリント機能に加えて、コピー機能、スキャン機能、及びファクシミリ機能のうち少なくともいずれかを有する装置であってもよい。
【００１７】
図１に示すように、画像形成装置１は、制御部１１と、画像形成部１２と、複数の給紙部１３と、手差し給紙部１４とを備える。制御部１１は、画像形成装置１の各部を制御する。制御部１１は、例えばＣＰＵ（Central  Processing  Unit）等のプロセッサーと、ＲＯＭ（Read  Only  Memory）やＲＡＭ（Random  Access  Memory）等のメモリーとを有する。制御部１１は、プロセッサーがメモリーに記憶されたプログラムを実行することにより各種の処理を行う。画像形成部１２は、制御部１１の制御の下、記録媒体２上に画像を形成する処理を行う。画像形成部１２は、例えば電子写真方式により画像を形成する。
【００１８】
給紙部１３は、記録媒体２を収容し、収容された記録媒体２を１枚ずつ画像形成部１２に供給する。この記録媒体２は、例えば用紙である。ただし、記録媒体２は、用紙に限定されず、画像が形成される対象であればどのようなものであってもよい。手差し給紙部１４は、給紙部１３と同様に、記録媒体２を収容し、収容された記録媒体２を１枚ずつ画像形成部１２に供給する。手差し給紙部１４は、記録媒体２が置かれる底板部１４１を有する。
【００１９】
図３は、手差し給紙部１４の一例を示す図である。手差し給紙部１４には、供給部２０と、支持部３０と、ゲート部４０と、押圧部５０とが設けられる。
【００２０】
供給部２０は、底板部１４１の一番上に置かれた記録媒体２に接触して、この記録媒体２を搬送路１５に供給する。供給部２０は、例えばピックアップロールであり、記録媒体２に接触した状態で回転することにより、図中の矢印ｘ方向に沿って記録媒体２を搬送路１５に送り出す。なお、図３において矢印ｘ方向は、紙面手前から奥側に向かう方向である。この記録媒体２は、搬送路１５を介して画像形成部１２に搬送される。
【００２１】
支持部３０は、供給部２０を接触位置から離間位置までの間で移動可能に支持する。例えば供給部２０がピックアップロールである場合、支持部３０は、その回転軸を支持する。接触位置は、記録媒体２に接触する位置である。離間位置は、記録媒体２から離れた位置である。支持部３０は、基部３１と、天壁部３２とを有する。
【００２２】
基部３１は、図中の矢印ｚ方向に延びる板状の形状を有する。この矢印ｚ方向は、記録媒体２が供給される方向と直行する方向である。基部３１は、図中の矢印ｚ方向の端において供給部２０を支持する。また、基部３１には、ゲート部４０が設けられる。ゲート部４０は、例えば底板部１４１の記録媒体２が置かれる領域と対応する位置に設けられる。
【００２３】
天壁部３２は、図中の矢印ｚ方向に延びる形状を有する。天壁部３２は、２つの立ち上がり領域３２１と、板状領域３２２とを有する。立ち上がり領域３２１は、天壁部３２の図中の矢印ｚ方向の両端の領域である。立ち上がり領域３２１は、図中の矢印−ｙ方向に延びる形状を有する。立ち上がり領域３２１は、基部３１に固定される。これにより、天壁部３２は、基部３１から立ち上がった状態になる。
【００２４】
板状領域３２２は、２つの立ち上がり領域３２１の間の領域である。板状領域３２２は、板状の形状を有する。板状領域３２２は、基部３１から図中の矢印ｙ方向に離れた位置にある。板状領域３２２の図中の矢印−ｚ方向の端部には、孔３２３ａ及び３２３ｂが形成され、これらの孔３２３ａ及び３２３ｂを用いて押圧部５０が設けられる。
【００２５】
図４は、図３中の矢印Ｉ−Ｉ方向からみた支持部３０の一例を示す断面図である。支持部３０は、軸３３を中心に回転移動する。支持部３０を移動させる機構としては、例えばカムが用いられる。この場合、カムは、例えば基部３１の図中の矢印−ｚ方向の端に接触する。なお、図４において矢印−ｚ方向は、紙面奥側から手前に向かう方向である。カムには、モーター等の駆動装置が接続される。カムが駆動装置により回転させられることにより、支持部３０は、図４（ａ）に示す第１位置から図４（ｂ）に示す第２位置までの間で移動する。第１位置は、供給部２０が底板部１４１に置かれた記録媒体２から離れた状態になる位置である。第２位置は、供給部２０が底板部１４１に置かれた記録媒体２に接触した状態になる位置である。
【００２６】
支持部３０が第１位置にいる間、供給部２０は、図４（ａ）に示す離間位置に存在する。この離間位置は、底板部１４１に置かれた記録媒体２から図中の矢印ｙ方向に離れた位置である。支持部３０が第１位置から第２位置に移動すると、供給部２０は、図４（ａ）に示す離間位置から図４（ｂ）に示す接触位置へと移動する。この接触位置は、離間位置から図中の矢印−ｙ方向に移動した位置である。
【００２７】
ゲート部４０は、抑止部４１と、固定部４２と、突起４３とを備える。抑止部４１は、細長い形状を有し、基部３１から底板部１４１に向けて突出する。抑止部４１は、底板部１４１に置かれた記録媒体２と搬送路１５との間に設けられる。抑止部４１は、記録媒体２の先端に接触し、記録媒体２が搬送路１５に侵入する抑止する。
【００２８】
抑止部４１は、軸４１１を中心に回転して、図４（ａ）に示す抑止位置から図４（ｂ）において二点鎖線で示す退避位置までの間を移動する。すなわち、抑止部４１は、軸４１１により抑止位置から退避位置までの間を移動可能に支持される。抑止位置は、記録媒体２が搬送路１５に侵入する抑止する位置である。抑止部４１が抑止位置で固定されている間、記録媒体２は抑止部４１に仕えて搬送路１５に侵入することができない。退避位置は、記録媒体２が搬送路１５に送られるのを妨げない位置である。抑止部４１が退避位置に移動可能になると、記録媒体２は搬送路１５に侵入可能となる。また、抑止部４１において固定部４２に対応する位置には、突起４１２が設けられる。
【００２９】
固定部４２は、抑止部４１を抑止位置で固定する。固定部４２は、軸４２１を中心に回転する。固定部４２の一端には、鉤部４２２が形成される。鉤部４２２は、突起４１２と噛み合う形状を有する。図４（ａ）に示すように、支持部３０が第１位置にいる間、鉤部４２２と突起４１２とが噛み合った状態になる。この場合、鉤部４２２と突起４１２との接触抵抗により、抑止部４１が時計回りに回転するのが抑止される。これにより、抑止部４１が図４（ａ）に示す抑止位置で固定される。
【００３０】
突起４３は、基部３１に設けられる。突起４３は、支持部３０が図４（ａ）に示す第１位置から図４（ｂ）に示す第２位置に移動すると、連動して図中の矢印−ｙ方向に移動する。このとき、突起４３は、図４（ｂ）に示すように、固定部４２の他端に接触し、この他端を図中の矢印−ｙ方向に押す。これにより、固定部４２が軸４２１を中心に図中の反時計回りに回転する。固定部４２が図中の反時計回りに回転すると、鉤部４２２が突起４１２から外れる。これにより、固定部４２による抑止部４１の固定が解除され、抑止部４１が軸４１１を中心に回転可能になる。この状態において、供給部２０が記録媒体２を搬送路１５に供給する動作を行うと、図中の矢印ｘ方向に送り出される記録媒体２に押されて、抑止部４１が軸４１１を中心に時計回りに回転し、図４（ｂ）において二点鎖線で示す退避位置に移動する。これにより、記録媒体２が搬送路１５に供給される。
【００３１】
図５は、押圧部５０の一例を示す正面図である。図６は、押圧部５０の一例を示す側面図である。押圧部５０は、支持部３０を図中の矢印−ｙ方向に押圧する。押圧部５０は、筐体５１と、弾性体５２と、加圧部５３とを備える。
【００３２】
筐体５１は、天壁部３２の板状領域３２２に設けられる。筐体５１は、図中の矢印ｙ方向の端にアーム部５１３ａ及び５１３ｂを有する。アーム部５１３ａ及び５１３ｂの先端は、鉤型の形状を有する。アーム部５１３ａ及び５１３ｂは、それぞれ、孔３２３ａ及び３２３ｂを貫通し、図中の矢印−ｚ方向及びｚ方向に突出する。これにより、筐体５１は、板状領域３２２から垂れ下がった状態で固定される。
【００３３】
筐体５１は、図中の矢印−ｚ方向及び矢印ｚ方向の端面を構成する側面５１ａ及び５１ｂと、矢印ｙ方向の端面を構成する上面５１ｃとを有する。側面５１ａ及び５１ｂには、それぞれ、図中の矢印−ｙ方向に延びる孔５１１が形成される。孔５１１は、第１位置から第２位置までの距離Ｌ１に対応する長さＬ２を有する。
【００３４】
弾性体５２は、筐体５１の内部に収容される。弾性体５２は、例えばばねである。弾性体５２の一端は、筐体５１の上面５１ｃの内側に接触する。弾性体５２の他端は、加圧部５３に接触する。弾性体５２は、加圧部５３を図中の矢印−ｙ方向に押圧する。
【００３５】
加圧部５３は、筐体５１により図中の矢印ｙ方向又は矢印−ｙ方向に移動可能に支持される。加圧部５３は、図中の矢印−ｚ方向及び矢印ｚ方向の端面を構成する側面５３ａ及び５３ｂと、図中の矢印−ｙ方向の端面を構成する底面５３ｃとを有する。側面５３ａ及び５３ｂには、それぞれ、突起５３１が設けられる。突起５３１は、孔５１１に挿入される。底面５３ｃは、図中の矢印−ｙ方向に凸の湾曲形状を有する。底面５３ｃは、基部３１に接触する。
【００３６】
図４（ａ）に示す第１位置にいる間、支持部３０は、例えばカムにより支持されているため、押圧部５０により加えられる力に抗して第１位置にいる状態を維持する。一方、図４（ａ）に示す第１位置から図４（ｂ）に示す第２位置へと移動を開始すると、支持部３０は、例えばカムによる支持がなくなり、移動可能な状態になる。支持部３０が移動可能な状態になると、加圧部５３は、図５に示すように、弾性体５２の力により基部３１を押しながら図中の矢印−ｙ方向に移動する。これにより、基部３１は図中の矢印−ｙ方向に移動する。
【００３７】
基部３１が図中の矢印−ｙ方向に移動すると、図４に示すように、突起４３は連動して図中の矢印−ｙ方向に移動する。そして、突起４３は、固定部４２の他端に接触し、この他端を図中の矢印−ｙ方向に押す。このとき、突起４３を有する基部３１が押圧部５０により図中の矢印−ｙ方向に押圧されているため、突起４３が固定部４２の他端を図中の矢印−ｙ方向に押す力が強くなる。この場合、鉤部４２２と突起４１２との接触抵抗が比較的高い場合であっても、鉤部４２２が突起４１２から外れるため、固定部４２による抑止部４１の固定がより確実に解除される。
【００３８】
加圧部５３は、支持部３０が第２位置に到達するまで、基部３１を押し続ける。支持部３０が第２位置に到達すると、図５（ｂ）に示すように、突起５３１が孔５１１の図中の矢印−ｙ方向の端に接触し、加圧部５３が停止する。すなわち、加圧部５３は、第１位置から第２位置までの距離Ｌ１に相当する距離だけ移動する。支持部３０が第２位置に到達すると、押圧部５０から支持部３０に力が加えられなくなる。
【００３９】
支持部３０が第２位置に移動すると、図４（ｂ）に示すように、供給部２０が接触位置に移動する。供給部２０は、例えば記録媒体２に接触した状態で回転することにより、図中の矢印ｘ方向に沿って記録媒体２を搬送路１５に送り出す。このとき、記録媒体２に押されて、抑止部４１が軸４１１を中心に時計回りに回転し、図４（ｂ）において二点鎖線で示す退避位置に移動する。これにより、記録媒体２が搬送路１５に供給される。そして、記録媒体２は、搬送路１５を介して画像形成部１２に搬送される。画像形成部１２は、この記録媒体２上に画像を形成する。これにより、画像形成装置１から画像が形成された記録媒体２が出力される。
【００４０】
仮に、押圧部５０が設けられていない場合には、鉤部４２２と突起４１２との接触抵抗が大きくなると、支持部３０が第１位置から第２位置へと移動を開始しても、鉤部４２２が突起４１２から外れず、固定部４２による抑止部４１の固定が解除されない場合がある。この場合、抑止部４１が抑止位置で固定された状態になるため、抑止部４１に仕えて支持部３０が第２位置へと到達できなくなる。この状態において供給部２０が記録媒体２を供給する動作を行うと、記録媒体２が画像形成装置１の内部で詰まる現象が発生する恐れがある。
【００４１】
以上説明した実施形態によれば、供給部２０を接触位置に移動させる際に、押圧部５０により支持部３０が第２位置に向けて押圧される。そのため、押圧部５０を用いずに供給部２０を接触位置に移動させる場合と比べて、抑止部４１の固定が解除されやすくなる。これにより、抑止部４１の固定が解除されないことによる不具合の発生が防止される。
【００４２】
変形例
上述した実施形態は、本発明の一例である。本発明は、上述した実施形態に限定されない。例えば上述した実施形態を以下のように変形してもよい。また、以下の２つ以上の変形例を組み合わせて実施してもよい。
【００４３】
上述した実施形態において、押圧部５０には、弾性体５２の力を調整する調整部５４を備えてもよい。図７は、この変形例に係る押圧部５０の一例を示す図である。押圧部５０は、上述した筐体５１、弾性体５２、及び加圧部５３に加えて、調整部５４を備える。
【００４４】
調整部５４は、筐体５１の上面５１ｃと弾性体５２との間に設けられる。調整部５４は、筐体５１の内部を図中の矢印−ｙ方向又は矢印ｙ方向に移動する機構を有する。この機構としては、例えばねじ機構が用いられる。この場合、調整部５４は、例えば時計回りに回転されると、図中の矢印−ｙ方向に移動する。これにより、弾性体５２の力が強くなる。一方、調整部５４は、例えば反時計回りに回転されると、図中の矢印ｙ方向に移動する。これにより、弾性体５２の力が弱くなる。調整部５４の回転は、例えば画像形成装置１の保守を行う作業員により行われてもよい。この変形例によれば、支持部３０を押圧する力の大きさの調整が可能になる。
【００４５】
押圧部５０の位置は、上述した実施形態で説明した例に限定されない。例えば押圧部５０は、図中の矢印ｚ方向において固定部４２と重なる位置あるいは固定部４２の近傍に設けられてもよい。この変形例によれば、抑止部４１の固定がより解除されやすくなる。
また、押圧部５０は、図中の矢印ｚ方向に沿って移動可能に支持されてもよい。この実施形態では、押圧部５０の位置を、例えば抑止部４１の固定が解除されやすくなるような位置に設定しやすくなる。その他、例えば供給部２０、支持部３０、ゲート部４０、及び押圧部５０を備える供給装置が後から手差し給紙部１４に取り付けられる場合であっても、手差し給紙部１４の他の部品と押圧部５０との接触が回避しやすくなる。
【００４６】
上述した実施形態において、複数の押圧部５０が設けられてもよい。この場合、複数の押圧部５０は、図中の矢印ｚ方向において支持部３０の一端と固定部４２との間に設けられてもよい。他の例において、複数の押圧部５０は、図中の矢印ｚ方向において支持部３０の両端と固定部４２との間にそれぞれ設けられてもよい。この場合、基部３１において固定部４２の両側が複数の押圧部５０により押圧されるため、抑止部４１との固定がより解除されやすくなる。
【００４７】
複数の押圧部５０が設けられる場合、これらの押圧部５０の間で、加圧部５３の移動距離が互いに異なってもよい。この場合、複数の押圧部５０には、１又は複数の押圧部５０Ａが含まれてもよい。図８は、この変形例に係る押圧部５０Ａの一例を示す図である。押圧部５０Ａは、孔５１２を除いて上述した押圧部５０と同様の構成を備える。押圧部５０Ａには、上述した孔５１１に代えて孔５１２が形成される。孔５１２は、孔５１１よりも図中の矢印ｙ方向の長さＬ３が短い。例えば孔５１２は、第１位置から、第１位置と第２位置との間の予め定められた位置（以下、対象位置）までの距離に対応する長さを有する。
【００４８】
この場合、図８（ｂ）に示すように、支持部３０が対象位置に到達すると、突起５３１が孔５１２の図中の矢印−ｙ方向の端に接触し、加圧部５３が停止する。すなわち、加圧部５３は、第１位置から対象位置までの距離に相当する距離だけ移動する。このとき、加圧部５３の移動距離は、第１位置から第２位置までの距離Ｌ１よりも短くなる。支持部３０が対象位置に到達すると、押圧部５０から支持部３０に力が加えられなくなる。すなわち、支持部３０が対象位置に到達した後、第２位置に移動するまでの間は、図８（ｃ）に示すように、支持部３０は押圧部５０により押圧されずに移動する。
【００４９】
上述した実施形態のように、支持部３０が第２位置に到達するまで押圧部５０が基部３１を押し続けると、支持部３０が第２位置に移動する際の衝撃が大きくなる場合がある。この変形例によれば、支持部３０が第２位置に到達する前に、支持部３０は押圧部５０Ａによる押圧を受けなくなるため、支持部３０の移動の衝撃が低減される。
【００５０】
上述した実施形態では、手差し給紙部１４が記録媒体２を収容する収容部として用いられていたが、給紙部１３がこの収容部として用いられてもよい。この場合、上述した供給部２０、支持部３０、ゲート部４０、及び押圧部５０は、給紙部１３に設けられてもよい。
【００５１】
上述した実施形態において、供給部２０、支持部３０、ゲート部４０、及び押圧部５０を備える供給装置が単体で提供されてもよい。また、給紙部１３又は手差し給紙部１４と、供給部２０、支持部３０、ゲート部４０、及び押圧部５０とを備える収容装置が単体で提供されてもよい。
【符号の説明】
【００５２】
１：画像形成装置、１１：制御部、１２：画像形成部、１３：給紙部、１４：手差し給紙部、２０：供給部、３０：支持部、４０：ゲート部、４１：抑止部、４２：固定部、４３：突起、５０、５０Ａ：押圧部、５１：筐体、５２：弾性体、５３：加圧部、５４：調整部
【図１】
2019069830.tif 000003
【図２】
2019069830.tif 000004
【図３】
2019069830.tif 000005
【図４】
2019069830.tif 000006
【図５】
2019069830.tif 000007
【図６】
2019069830.tif 000008
【図７】
2019069830.tif 000009
【図８】
2019069830.tif 000010